(57)【要約】【課題】吸気マニフォルド上面及び下面からのレゾネータ室の突出量を小さく抑えながらその容積を充分に確保し得るコンパクトなエンジン用吸気マニフォルドを提供する。【解決手段】略水平姿勢で並列する複数の吸気分配管１を一側壁に備えると共に，他の壁に吸気入口管３を備え，内部には吸気入口管３と吸気分配管１との間を連通するサージ室５と，このサージ室５に連通路１２を介して連通するレゾネータ室１０とを備えるエンジン用吸気マニフォルドであって，レゾネータ室１０を，複数の吸気分配管１の相互間を貫通して吸気分配管１群の下方へ突出する複数のレゾネータ小室１０ｂ〜１０ｃと，これら複数のレゾネータ小室１０ｂ〜１０ｃ相互を連通する連通室１１とで構成した。【選択図】      図７
2011247274.tif 000002
【特許請求の範囲】
【請求項１】
略水平姿勢で並列する複数の吸気分配管（１）を一側壁に備えると共に，他の壁に吸気入口管（３）を備え，内部には吸気入口管（３）と吸気分配管（１）との間を連通するサージ室（５）と，このサージ室（５）に連通路（１２）を介して連通するレゾネータ室（１０）とを備えるエンジン用吸気マニフォルドであって，
前記レゾネータ室（１０）を，複数の吸気分配管（１）の相互間を貫通して吸気分配管（１）群の下方へ突出する複数のレゾネータ小室（１０ｂ〜１０ｃ）と，これら複数のレゾネータ小室（１０ｂ〜１０ｃ）相互を連通する連通室（１１）とで構成したことを特徴とするエンジン用吸気マニフォルド。
【請求項２】
請求項１記載のエンジン用吸気マニフォルドにおいて，
前記連通室（１１）を，これが吸気分配管（１）群の上面を横切るように且つ上下に偏平に形成したことを特徴とするエンジン用吸気マニフォルド。
【請求項３】
請求項２記載のエンジン用吸気マニフォルドにおいて，
複数の吸気分配管（１），サージ室（５）の一半部（５Ａ），複数のレゾネータ小室（１０ｂ〜１０ｃ），及び連通路（１２）の一半部となる第１凹溝（１２Ａ）を有する合成樹脂製の第１マニフォルド半体（ＭＡ）と，サージ室（５）の他半部（５Ｂ），連通室（１１），及び連通路（１２）の他半部となる第２凹溝（１２Ｂ）を有する合成樹脂製の第２マニフォルド半体（ＭＢ）との相対向する接合面（１５Ａ，１５Ｂ）を相互に溶着してなり，第１マニフォルド半体（ＭＡ）の下面には，サージ室（５），複数の吸気分配管（１）及び複数のレゾネータ小室（１０ｂ〜１０ｃ）に囲まれる複数の凹部（１３ａ〜１３c ）を形成し，これら凹部（１３ａ〜１３c ）を，第１及び第２マニフォルド半体（ＭＡ，ＭＢ）相互の溶着時，第１マニフォルド半体（ＭＡ）を支持する支持台（３０）のバックアップ凸部（３０ａ）の嵌合用としたことを特徴とするエンジン用吸気マニフォルド。
【請求項４】
請求項３記載のエンジン用吸気マニフォルドにおいて，
第１及び第２マニフォルド半体（ＭＢ）の両接合面（１５Ａ，１５Ｂ）には，サージ室（５）及びレゾネータ室（１０）間を区画するように相互に溶着される下部溶着ビード（２１Ａ）及び上部溶着ビード（２１Ｂ）をそれぞれ形成し，また前記複数の凹部（１３ａ〜１３c ）の少なくとも一部の天井壁（１４）に，前記下部溶着ビード（２１Ａ）に連続する下部補強溶着ビード（２７Ａ）を形成すると共に，前記上部溶着ビード（２１Ｂ）に連続して前記下部補強溶着ビード（２７Ａ）と溶着される上部補強溶着ビード（２７Ｂ）を第２マニフォルド半体（ＭＢ）に形成したことを特徴とするエンジン用吸気マニフォルド。
【発明の詳細な説明】
【技術分野】
【０００１】
本発明は，略水平姿勢で並列する複数の吸気分配管を一側壁に備えると共に，他の壁に吸気入口管を備え，内部には吸気入口管と吸気分配管との間を連通するサージ室と，このサージ室に連通路を介して連通するレゾネータ室とを備えるエンジン用吸気マニフォルドに関する。
【背景技術】
【０００２】
従来，自動車において，エンジンの吸気ダクトの上部に，その内部に連通するレゾネータ室を形成し，吸気系に発生する吸気脈動騒音をレゾネータ室の共鳴作用により消音することが，例えば特許文献１に開示されているように，既に知られている。
【先行技術文献】
【特許文献】
【０００３】
【特許文献１】特開２００６−１８３５６５号公報
【発明の概要】
【発明が解決しようとする課題】
【０００４】
ところで，略水平姿勢で並列する複数の吸気分配管を一側壁に備えると共に，他の壁に吸気入口管を備え，内部には吸気入口管と吸気分配管との間を連通するサージ室を備える吸気マニフォルドに，上記の従来技術を適用しようとすると，吸気マニフォルドのサージ室の上方又は下方にレゾネータ室を配置して，両室間を連通させることになるが，こうして構成したレゾネータ付き吸気マニフォルドは，自動車の狭小なエンジンルームに収容される場合には，サージ室の上方又は下方に大きく突出したレゾネータ室がエンジンやボンネットに干渉する虞があるため，そのレゾネータ室に充分な容積を与えることができない嫌いがある。
【０００５】
本発明は，かゝる事情に鑑みてなされたもので，吸気マニフォルド上面及び下面からのレゾネータ室の突出量を小さく抑えながらその容積を充分に確保し得るようにしたコンパクトな前記エンジン用吸気マニフォルドを提供することを目的とする。
【課題を解決するための手段】
【０００６】
上記目的を達成するために，本発明は，略水平姿勢で並列する複数の吸気分配管を一側壁に備えると共に，他の壁に吸気入口管を備え，内部には吸気入口管と吸気分配管との間を連通するサージ室と，このサージ室に連通路を介して連通するレゾネータ室とを備えるエンジン用吸気マニフォルドであって，前記レゾネータ室を，複数の吸気分配管の相互間を貫通して吸気分配管群の下方へ突出する複数のレゾネータ小室と，これら複数のレゾネータ小室相互を連通する連通室とで構成したことを第１の特徴とする。
【０００７】
また本発明は，第１の特徴に加えて，前記連通室を，これが吸気分配管群の上面を横切るように且つ上下に偏平に形成したことを第２の特徴とする。
【０００８】
さらに本発明は，第２の特徴に加えて，複数の吸気分配管，サージ室の一半部，複数のレゾネータ小室，及び連通路の一半部となる第１凹溝を有する合成樹脂製の第１マニフォルド半体と，サージ室の他半部，連通室，及び連通路の他半部となる第２凹溝を有する合成樹脂製の第２マニフォルド半体との相対向する接合面を相互に溶着してなり，第１マニフォルド半体の下面には，サージ室，複数の吸気分配管及び複数のレゾネータ小室に囲まれる複数の凹部を形成し，これら凹部を，第１及び第２マニフォルド半体相互の溶着時，第１マニフォルド半体を支持する支持台のバックアップ凸部の嵌合用としたことを第３の特徴とする。
【０００９】
さらにまた本発明は，第３の特徴に加えて，第１及び第２マニフォルド半体の両接合面には，サージ室及びレゾネータ室間を区画するように相互に溶着される下部溶着ビード及び上部溶着ビードをそれぞれ形成し，また前記複数の凹部の少なくとも一部の天井壁に，前記下部溶着ビードに連続する下部補強溶着ビードを形成すると共に，前記上部溶着ビードに連続して前記下部補強溶着ビードと溶着される上部補強溶着ビードを第２マニフォルド半体に形成したことを第４の特徴とする。
【発明の効果】
【００１０】
本発明の第１の特徴によれば，レゾネータ室の主要部をなす複数のレゾネータ小室は，複数の吸気分配管の相互間のデッドスペースのみならず，それらの下方のデッドスペースを利用して形成されるので，レゾネータ室に充分な容積を付与し得ると共に，レゾネータ室の吸気マニフォルド下面への不必要な突出を防ぐことができ，したがって吸気マニフォルドのコンパクト化を図りつゝ，レゾネータ室の機能を高めることができる。
【００１１】
本発明の第２の特徴によれば，複数のレゾネータ小室の相互間を連通する連通室は，吸気分配管の上面を横切るように延びる上下に偏平な形状をなすので，この連通室も吸気マニフォルド上面からの突出を最小限に抑えながら，レゾネータ室の容積拡張に寄与すると共に，レゾネータ室による吸気マニフォルドの大型化を防ぎ，そのコンパクト化を図ることができる。
【００１２】
本発明の第３の特徴によれば，第１及び第２マニフォルド半体の二部材の溶着により，レゾネータ付きのコンパクトな吸気マニフォルドを簡単に構成することができる。その際，第１マニフォルド半体下面の，サージ室，複数の吸気分配管及び複数のレゾネータ小室に囲まれる複数の凹部が，第１及び第２マニフォルド半体相互の溶着時，第１マニフォルド半体を支持する支持台のバックアップ凸部の嵌合用凹部とされるので，第１及び第２マニフォルド半体の中間部の撓みを支持台のバックアップ凸部により防ぐことができる。したがって，第１マニフォルド半体の中間部に，バックアップ凸部の嵌合のための専用の凹部を形成する必要がないから，第１マニフォルド半体の本来の構造及び形状を変更することなく，第１及び第２マニフォルド半体の中間部相互の溶着をも確実に行うことができる。
【００１３】
本発明の第４の特徴によれば，下部及び上部補強溶着ビード相互の溶着により，サージ室及びレゾネータ室間を区画するように相互に溶着される下部及び上部溶着ビードの中間部相互の溶着強度を増強することができる。しかも下部補強溶着ビードは，一部のバックアップ凸部が嵌合する凹部の天井壁を利用して，その上面に形成されるので，バックアップ凸部が嵌合する凹部は，下部補強溶着ビードの略直下に位置することになり，その下部補強溶着ビード周りの撓みを強固に抑え，下部及び上部補強溶着ビード相互の溶着を，より確実に行うことができる。
【図面の簡単な説明】
【００１４】
【図１】本発明の実施例に係るエンジン用吸気マニフォルドの平面図。
【図２】同吸気マニフォルドの左側面図。
【図３】同吸気マニフォルドの底面図。
【図４】同吸気マニフォルドの第１マニフォルド半体を内側から見た平面図。
【図５】同吸気マニフォルドの第２マニフォルド半体を内側から見た平面図。
【図６】図５の要部を破断して示した平面図。
【図７】図３の７−７線断面図。
【図８】図３の８−８線断面図。
【図９】図９の１０矢視図。
【図１０】弁体に付設される弾性シール部材の斜視図。
【図１１】図３の１１−１１線断面図。
【図１２】図３の１２−１２線断面図。
【発明を実施するための形態】
【００１５】
本発明の実施の形態を，添付図面に示す本発明の実施例に基づいて以下に説明する。
【００１６】
図１は本発明の実施例に係るエンジン用吸気マニフォルドの平面図，図２は同吸気マニフォルドの左側面図，図３は同吸気マニフォルドの底面図，図４は同吸気マニフォルドの第１マニフォルド半体を内側から見た平面図，図５は同吸気マニフォルドの第２マニフォルド半体を内側から見た平面図，図６は図５の要部を破断して示した平面図，図７は図３の７−７線断面図，図８は図３の８−８線断面図，図９は図３の９−９線断面図，図１０は図９の１０矢視図，図１１は図３の１１−１１線断面図，図１２は図３の１２−１２線断面図である。
【００１７】
先ず，図１〜図３において，符号Ｍは自動車に搭載される４気筒エンジンＥ用の吸気マニフォルドを示す。この吸気マニフォルドＭは，図１で左右方向を長手方向とする箱形をなしており，その長手方向に沿う一側壁には，略水平姿勢で並列する４本の吸気分配管１，１…が形成され，これら吸気分配管１，１…の下流端には，これらを相互に一体に連結する共通の取り付けフランジ２が一体に形成される。この取り付けフランジ４は，エンジンＥに複数のボルトにより結合されるようになっている。この吸気マニフォルドＭは，図２に示すように，自動車のエンジンルームＲ内に収容される場合，ボンネットＢの下面に近接するようにエンジンルームＲ内の上部に配置される。
【００１８】
また吸気マニフォルドＭの，４本の吸気分配管１，１…の配列方向に沿う一端壁には吸気入口管３が一体に形成され，この吸気入口管３の上流には方形の取り付けフランジ４が一体に形成される。この取り付けフランジ４にはスロットルボディＴが複数のボルトにより取り付けられるようになっている。
【００１９】
さらに吸気マニフォルドＭの内部は，図４〜図９に示すように，吸気入口管３と４本の吸気分配管１，１…との間を連通するサージ室５になっており，このサージ室５には，吸気入口管３のサージ室５への開口端の，吸気分配管１，１…側の端縁から吸気分配管１，１…の配列方向に延びてサージ室５の略中央部に達する吸気案内壁６が配設される。この吸気案内壁６は，図４〜図６に明示するように，サージ室５内方に向うにつれて吸気分配管１，１…から離れるよう吸気入口管３の軸線Ｘに対して僅かに傾斜している。また吸気案内壁６の，吸気分配管１，１…と反対側の一側面は，吸気入口管３の内周面に連なる平滑面６ａに形成される。
【００２０】
而して，エンジンの吸気作用に伴ない吸気入口管３に流入した空気は，図４及び図６に矢印Ｄ１で示すように，吸気入口管３の内面に連なる吸気案内壁６の平滑面６ａによりスムーズに誘導されることにより，圧力損失することなくサージ室５の中央部に到達することができる。したがって，吸気入口管３と，並列する４本の吸気分配管１，１…との各間の距離の長短に拘らず，上記空気は，図４及び図６に矢印Ｄ２で示すように，サージ室５の中央部から４本の吸気分配管１，１…へと略均等に分配されることになり，エンジンＥの各気筒の吸気効率を高め，エンジン出力の向上に寄与し得る。
【００２１】
また図６及び図９及び図１０に示すように，吸気案内壁６の，吸気分配管１，１…側の他側面６ｂには，相互に間隔を置いて平行に並ぶ上下方向の複数のリブ７，７…を残して，複数の肉抜き凹部８，８…が形成される。吸気案内壁６の，吸気入口管３側の端部には，吸気案内壁６と直交するように延びる補強壁９が一体に連設される。
【００２２】
而して，複数の肉抜き凹部８，８…により吸気案内壁６の薄肉化が図られると共に，複数のリブ７，７…により吸気案内壁６剛性の強化を図ることができ，サージ室５での吸気圧力の脈動に起因する吸気案内壁６の振動騒音の発生を防ぐことができる。しかも吸気案内壁６の吸気分配管１，１…側の他側面６ｂは，空気流の誘導には殆ど関与しないから，その他側面６ｂに形成されたリブ７，７…及び肉抜き凹部８，８…は殆ど吸気抵抗とはならない。かくして，吸気案内壁６に良好な吸気案内機能を発揮させつゝ，吸気案内壁の薄肉化と剛性確保の両方を満足させることができる。
【００２３】
図４〜図９に示すように，吸気マニフォルドＭの内部には，さらに，サージ室５に連通路１２を介して連通するレゾネータ室１０が設けられる。このレゾネータ室１０は，前記４本の吸気分配管１，１…の相互間に画成される三つのレゾネータ小室１０ｂ〜１０ｄと，吸気分配管１，１…群の両外側部に形成される二つのレゾネータ小室１０ａ，１０ｅと，合計五つのレゾネータ小室１０ａ〜１０ｅを相互に連通すべく，吸気分配管１，１…の上面を横切るように延びるように配置される上下に偏平な連通室１１とよりなっており，この連通室１１の長手方向一端部が前記連通路１２を介してサージ室５の中央部に連通される。その際，レゾネータ小室１０ａ〜１０ｅは，その容積を極力大きく確保すべく，隣接する吸気分配管１，１…の下面より下方へ突出するようにして形成される。但し，望ましくは，レゾネータ小室１０ａ〜１０ｅの吸気分配管１，１…下面よりの突出は，サージ室１１の下面の高さより上方位置に止める。
【００２４】
このように，レゾネータ室１０の主要部をなす複数のレゾネータ小室１０ａ〜１０ｅは，複数の吸気分配管１，１…の相互間のデッドスペースのみならず，吸気分配管１，１…群の両外側のデッドスペース及びそれらの下方のデッドスペースを利用して形成されるので，レゾネータ室１０に充分な容積を付与し得ると共に，レゾネータ室１０の吸気マニフォルドＭ下面への不必要な突出を防ぐことができ，レゾネータ室１０による吸気マニフォルドＭの大型化を防ぐことができる。また複数のレゾネータ小室１０ａ〜１０ｅの相互間を連通する連通室１１は，吸気分配管１，１…の上面を横切るように延びる上下に偏平な形状をなしているので，この連通室１１も吸気マニフォルドＭ上面からの突出を最小限に抑えながら，レゾネータ室１０の容積拡張に寄与すると共に，レゾネータ室１０による吸気マニフォルドＭの大型化を防ぎ，そのコンパクト化を図ることができる。また複数のレゾネータ小室１０ａ〜１０ｅの相互間を連通する連通室１１は，吸気分配管１，１…の上面を横切るように延びる上下に偏平な形状をなしているので，この連通室１１も吸気マニフォルドＭ上面からの突出を最小限に抑えながら，レゾネータ室１０の容積拡張に寄与すると共に，レゾネータ室１０による吸気マニフォルドＭの大型化を防ぎ，そのコンパクト化を図ることができる。こうして充分な容積を得たレゾネータ室１０は，エンジンＥの運転中，共鳴作用により，サージ室５に発生する吸気騒音の所定の周波数帯域での消音を可能にすると共に，エンジンのトルク増加に寄与する。しかも，上記のようにコンパクトに構成されたレゾネータ付き吸気マニフォルドＭは，自動車の狭小なエンジンルームＲ内上部に配置されても，エンジンＥやボンネットＢとの干渉を回避することができるので，小型自動車用に特に有効である。
【００２５】
同じく図４〜図９において，上記吸気マニフォルドＭは，それぞれ合成樹脂をもって個別に成形される下部の第１マニフォルド半体ＭＡと上部の第２マニフォルド半体ＭＢとで構成され，この両マニフォルド半体ＭＡ，ＭＢは，それらの互いに対向する接合面１５Ａ，１５Ｂを振動摩擦溶着することにより接合されるようになっている。
【００２６】
その第１マニフォルド半体ＭＡには，取り付けフランジ２と，吸気入口管３の一半部３Ａと，サージ室５の一半部５Ａと，吸気案内壁６の一半部６Ａと，吸気分配管１，１…群と，取り付けフランジ２と，レゾネータ小室１０ａ〜１０ｅ群と，連通路１２の一半部となる浅い第１凹溝１２Ａとが備えられる。一方，第２マニフォルド半体ＭＢには，吸気入口管３の他半部３Ｂと，サージ室５の他半部５Ｂと，吸気案内壁６の他半部６Ｂと，連通室１１と，連通路１２の他半部となる深い第２凹溝１２Ｂと，補強壁９の他半部９Ｂとが備えられる。
【００２７】
第１マニフォルド半体ＭＡの下面には，サージ室５，４本の吸気分配管１，１…及び中間の３つレゾネータ小室１０ｂ〜１０ｄに囲まれる３つの凹部１３ａ〜１３c が形成され，そのうちの吸気入口管３側で隣接する２つの凹部１３ａ，１３ｂの天井壁は，これら凹部１３ａ，１３ｂに隣接する２本の吸気分配管１，１の管壁に連続して平坦壁１６を構成し，この平坦壁１６に前記浅い凹溝１２Ａが形成される。
【００２８】
吸気案内壁６の一半部６Ａは高さが低く形成され，同他半部６Ｂは高さが高く形成され，その他半部６Ｂに前記複数のリブ７，７…及び肉抜き凹部８，８…が設けられ，これら肉抜き凹部８，８…の下端は，該他半部６Ｂの下端面，即ち接合面１５Ｂの手前で終わっている（特に図９，図１０参照）。したがって，第１及び第２マニフォルド半体ＭＡ，ＭＢ相互の溶着と同時に吸気案内壁６の一半部６Ａ及び他半部６Ｂ相互の溶着を可能して，強固な吸気案内壁６を構成し得ると共に，これにより吸気マニフォルドＭの剛性強化を図ることができ，しかも吸気案内壁６の一半部６Ａ及び他半部６Ｂの溶着面積の，肉抜き凹部８，８…による減少を回避して，両半部６Ａ，６Ｂ相互の溶着強度を高めることができる。
【００２９】
第１及び第２マニフォルド半体ＭＡ，ＭＢの互いに対向する接合面１５Ａ，１５Ｂには，それぞれ吸気入口管３の一部と，サージ室５及びレゾネータ室１０全体を囲繞する無端状の第１溶着ビード２０Ａ，２０Ｂと，この第１溶着ビード２０Ａ，２０Ｂからレゾネータ室１０及び連通路１２の一側壁に沿って延びる有端の第２溶着ビード２１Ａ，２１Ｂと，第１溶着ビード２１Ａ，２１Ｂから連通路１２の他側壁に沿って延びる有端の第３溶着ビード２２Ａ，２２Ｂと，この第３溶着ビード２２Ａ，２２Ｂの，第１溶着ビード２１Ａ，２１Ｂとの近接部から補強壁９及び吸気案内壁６に沿って延びる有端の第４ビード部２３Ａ，２３Ｂとが形成される。
【００３０】
また第２マニフォルド半体ＭＢの接合面１５Ｂには，第１〜第４溶着ビード２０Ｂ〜２３Ｂの幅方向両側に溝２４，２４を挟んで起立する一対の規制壁２５，２５（図７参照）が形成される。
【００３１】
図４及び図５において，第１及び第２マニフォルド半体ＭＡ，ＭＢの第２〜第４溶着ビード２１Ａ〜２３Ａ；２１Ｂ〜２３Ｂの端部２１Ａｅ〜２３Ａｅ；２１Ｂｅ〜２３Ｂｅの横幅は，他の主要部の横幅より広く設定される。
【００３２】
また第１マニフォルド半体ＭＡの前記３つの凹部１３ａ〜１３ｃのうち，前記平坦壁１６の形成に関わらない一つの凹部１３ａの天井壁１６の上面は，第１マニフォルド半体ＭＡ側の接合面に連続しており，この凹部１３ａの天井壁１６の上面に，有端の第２溶着ビード２１Ａの中間部と協働して閉じたロ字状の溶着ビードを構成する補強溶着ビード２７Ａが形成される。これに対応して，第２マニフォルド半体ＭＢの接合面１５Ｂにも補強溶着ビード２７Ｂが形成されると共に，これを囲むように前記規制壁の２５の一部が延長される。
【００３３】
図８及び図１１に示すように，第１及び第２マニフォルド半体ＭＡ，ＭＢの接合面１５Ａ，１５Ｂの溶着に当たっては，第１マニフォルド半体ＭＡを，その接合面１５Ａを上向きにして支持台３０上に載置し，その接合面１５Ａの溶着ビード２０Ａ〜２２Ａ，２７Ａに，第２マニフォルド半体ＭＢの接合面１５Ｂの溶着ビード２０Ｂ〜２２Ｂ，２７Ｂを重ね合わせ，この第２マニフォルド半体ＭＢを上方から押させる押え振動治具３１を，吸気マニフォルドＭの長手方向に沿って振動させる。
【００３４】
その際，支持台３０は，第１マニフォルド半体ＭＡの下面周囲を支承する通常のバックアップ部を備える他に，特に，略中央部に３つのバックアップ凸部３０ａ〜３０ｃを備えており，これらバックアップ凸部３０ａ〜３０ｃは，第１マニフォルド半体ＭＡ下面の，サージ室５，４本の吸気分配管１，１…及び中間の３つレゾネータ小室１０ｂ〜１０ｄに囲まれて形成された前記３つの凹部１３ａ〜１３ｃに嵌合して，それらの天井面に当接するようになっている。したがって，押え振動治具３１により第２マニフォルド半体ＭＢを上方から押さえて振動させたとき，第１及び第２マニフォルド半体ＭＡ，ＭＢの中央部の撓みを支持台３０のバックアップ凸部３０ａ〜３０ｃにより防ぐことができるため，吸気マニフォルドＭ周囲の第１溶着ビード２０Ａ，２０Ｂ相互間は勿論，中程の第２〜第４溶着ビード２１Ａ〜２２Ａ；２１Ｂ〜２２Ｂ相互間に均等に摩擦熱を発生させて，両者間を確実に溶着することができる。その溶着代は，第２マニフォルド半体ＭＢの規制壁２５が第１マニフォルド半体ＭＡの接合面１５Ａに当接することにより規制され，またその溶着に伴ない発生するバリは，規制壁２５と各溶着ビード間の溝２４に収容される。
【００３５】
このように，第１マニフォルド半体ＭＡ下面の，サージ室５，４本の吸気分配管１，１…及び中間の３つレゾネータ小室１０ｂ〜１０ｄに囲まれて形成された３つの凹部１３ａ〜１３ｃを，支持台３０のバックアップ凸部３０ａ〜３０ｃの嵌合用凹部に利用するので，第１マニフォルド半体ＭＡの中央部に，バックアップ凸部３０ａ〜３０ｃの嵌合のための専用の凹部を形成する必要がなく，したがって第１マニフォルド半体ＭＡの本来の構造及び形状を変更することなく，支持台３０による第１マニフォルド半体ＭＡの略中央部の支承を強固に行うことができて，両マニフォルド半体ＭＡ，ＭＢ間に良好な溶着部を形成することができる。図示例の場合，特に，バックアップ凸部３０ａ〜３０ｃが嵌合する凹部１３ａ〜１３ｃは，第１マニフォルド半体ＭＡの第２及び第３溶着ビード２１Ａ，２２Ａの略直下に位置することになるから，その第２及び第３溶着ビード第２及び第３溶着ビード２１Ａ，２２Ａ周辺部の撓みを強固に抑え，上下の第２及び第３溶着ビード２１Ａ，２２Ａ〜２１Ｂ，２２Ｂ相互の溶着を，より確実に行うことができる。
【００３６】
また第１及び第２マニフォルド半体ＭＡ，ＭＢの第２〜第４溶着ビード２１Ａ〜２３Ａ；２１Ｂ〜２３Ｂにおいて，それらの端部端部２１Ａｅ〜２３Ａｅ；２１Ｂｅ〜２３Ｂｅの横幅は，他の主要部の横幅より広く設定されるので，第２〜第４溶着ビード２１Ａ〜２３Ａ；２１Ｂ〜２３Ｂの各端部２１Ａｅ〜２３Ａｅ；２１Ｂｅ〜２３Ｂｅでは，溶着面積が拡張して，その溶着強度を高めることができる。
【００３７】
而して，吸気マニフォルドＭの使用状態では，エンジンＥの振動等により，特に，有端の第２〜第４溶着ビード２１Ａ〜２３Ａ；２１Ｂ〜２３Ｂの各端部の溶着部に集中応力が発生する傾向があるが，その集中応力による，第２〜第４溶着ビード２１Ａ〜２３Ａ；２１Ｂ〜２３Ｂの各端部の溶着部の剥離を確実に防ぐことができる。
【００３８】
さらに，有端の第２〜第４溶着ビード２１Ａ〜２３Ａ；２１Ｂ〜２３Ｂのうち，最も長い第２溶着ビード２１Ａ，２１Ｂの中間部には，第２溶着ビード２１Ａ，２１Ｂと協働して閉じたロ字状の溶着ビードを構成する補強溶着ビード２７Ａ，２７Ｂが連設されるので，補強溶着ビード２７Ａ，２７Ｂ相互の溶着により，第２溶着ビード２１Ａ，２１Ｂの中間部相互の溶着強度が増強されることになり，第２溶着ビード２１Ａ，２１Ｂの中間部の溶着部の，振動による剥離をも確実に防ぐことができる。
【００３９】
しかも，第１マニフォルド半体ＭＡ側の補強溶着ビード２７Ａは，一部のバックアップ凸部３０ｃが嵌合する凹部１３ｃの天井壁１４を利用して，その上面に形成されるので，バックアップ凸部３０ｃが嵌合する凹部１３ｃは，補強溶着ビード２７Ａの略直下に位置することになるから，その補強溶着ビード２７Ａ周りの撓みを強固に抑え，上下の補強溶着ビード２７Ａ，２７Ｂ相互の溶着を，より確実に行うことができる。
【００４０】
図５及び図１２に示すように，第２マニフォルド半体ＭＢには，サージ室５の，吸気入口管３から離れた角部に，吸気入口管３から離れた最外側の吸気分配管１への空気の流れをスムーズに誘導する断面円弧状の案内壁３３が設けられる。
【００４１】
本発明は上記実施例に限定されるものではなく，その要旨を逸脱しない範囲で種々の設計変更が可能である。例えば，本発明は，上記４気筒以外の多気筒エンジン用にも適用することができる。また吸気案内壁６の一半部６Ａ及び他半部６Ｂを略同じ高さに形成して，その両者の他側面６ｂにリブ７及び肉抜き凹部８を形成することもできる。
【符号の説明】
【００４２】
Ｍ・・・・・吸気マニフォルド
ＭＡ・・・・第１マニフォルド半体
ＭＢ・・・・第２マニフォルド半体
１・・・・・吸気分配管
３・・・・・吸気入口管
５・・・・・サージ室
５Ａ・・・・サージ室の一半部
５Ｂ・・・・サージ室の他半部
１０・・・・レゾネータ室
１０ｂ〜１０ｄ・・・レゾネータ小室
１１・・・・連通室
１２・・・・連通路
１２Ａ・・・第１凹溝
１２Ｂ・・・第２凹溝
１３ａ〜１３ｃ・・・凹部
１５Ａ・・・第１マニフォルド半体側の接合面
１５Ｂ・・・第２マニフォルド半体側の接合面
２１Ａ・・・下部溶着ビード（第１マニフォルド半体側の第２溶着ビード）
２１Ｂ・・・上部溶着ビード（第２マニフォルド半体側の第２溶着ビード）
２７Ａ・・・下部補強溶着ビード
２７Ｂ・・・上部補強溶着ビード
３０・・・・支持台
３０ａ〜３０ｃ・・・バックアップ凸部
【図１】
2011247274.tif 000003
【図２】
2011247274.tif 000004
【図３】
2011247274.tif 000005
【図４】
2011247274.tif 000006
【図５】
2011247274.tif 000007
【図６】
2011247274.tif 000008
【図７】
2011247274.tif 000009
【図８】
2011247274.tif 000010
【図９】
2011247274.tif 000011
【図１０】
2011247274.tif 000012
【図１１】
2011247274.tif 000013
【図１２】
2011247274.tif 000014
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
略水平姿勢で並列する複数の吸気分配管（１）を一側壁に備えると共に，他の壁に吸気入口管（３）を備え，内部には吸気入口管（３）と吸気分配管（１）との間を連通するサージ室（５）と，このサージ室（５）に連通路（１２）を介して連通するレゾネータ室（１０）とを備えるエンジン用吸気マニフォルドであって，
前記レゾネータ室（１０）を，複数の吸気分配管（１）の相互間を貫通して吸気分配管（１）群の下方へ突出する複数のレゾネータ小室（１０ｂ〜１０ｃ）と，これら複数のレゾネータ小室（１０ｂ〜１０ｃ）相互を連通する連通室（１１）とで構成したことを特徴とするエンジン用吸気マニフォルド。
【請求項２】
請求項１記載のエンジン用吸気マニフォルドにおいて，
複数の吸気分配管（１），サージ室（５）の一半部（５Ａ），複数のレゾネータ小室（１０ｂ〜１０ｃ），及び連通路（１２）の一半部となる第１凹溝（１２Ａ）を有する合成樹脂製の第１マニフォルド半体（ＭＡ）と，サージ室（５）の他半部（５Ｂ），連通室（１１），及び連通路（１２）の他半部となる第２凹溝（１２Ｂ）を有する合成樹脂製の第２マニフォルド半体（ＭＢ）との相対向する接合面（１５Ａ，１５Ｂ）を相互に溶着してなり，第１マニフォルド半体（ＭＡ）の下面には，サージ室（５），複数の吸気分配管（１）及び複数のレゾネータ小室（１０ｂ〜１０ｃ）に囲まれる複数の凹部（１３ａ〜１３c ）を形成し，これら凹部（１３ａ〜１３c ）を，第１及び第２マニフォルド半体（ＭＡ，ＭＢ）相互の溶着時，第１マニフォルド半体（ＭＡ）を支持する支持台（３０）のバックアップ凸部（３０ａ）の嵌合用としたことを特徴とするエンジン用吸気マニフォルド。
【請求項３】
請求項２記載のエンジン用吸気マニフォルドにおいて，
第１及び第２マニフォルド半体（ＭＢ）の両接合面（１５Ａ，１５Ｂ）には，サージ室（５）及びレゾネータ室（１０）間を区画するように相互に溶着される下部溶着ビード（２１Ａ）及び上部溶着ビード（２１Ｂ）をそれぞれ形成し，また前記複数の凹部（１３ａ〜１３c ）の少なくとも一部の天井壁（１４）に，前記下部溶着ビード（２１Ａ）に連続する下部補強溶着ビード（２７Ａ）を形成すると共に，前記上部溶着ビード（２１Ｂ）に連続して前記下部補強溶着ビード（２７Ａ）と溶着される上部補強溶着ビード（２７Ｂ）を第２マニフォルド半体（ＭＢ）に形成したことを特徴とするエンジン用吸気マニフォルド。